(57)【要約】【課題】重要情報を漏れなく記憶できる上で、必要最小限の表示画像のみを記憶するので、多大なデータの記憶に起因する装置側の負担を軽減できる、描画装置、画像記憶方法、コンピュータプログラム及び該コンピュータプログラムが記録された記録媒体を提供する。【解決手段】描画に係る描画オブジェクトを含む表示画像が表示される表示部を備え、該表示画像の時系列の一連を記憶しておき、前記描画オブジェクトの削除が行なわれる際、斯かる描画オブジェクトの削除前後における、画オブジェクトの割合が、閾値以下であるか否かの判定が行なわれ、前記割合が閾値以下であると判定された場合、前記削除の開始時における削除直前表示画像を除く前記一連の表示画像に係るデータを削除する。【選択図】図３
2014106624.tif 000002
【特許請求の範囲】
【請求項１】
描画に係る描画オブジェクトを含む表示画像が表示される表示部を備え、該表示画像の時系列の一連を記憶する描画装置において、
前記描画オブジェクトの削除を行なう削除手段と、
該削除手段による削除前の描画オブジェクトに対する、削除後の描画オブジェクトの割合が、閾値以下であるか否かの判定を行なう判定手段と、
前記割合が閾値以下であると判定された場合、前記削除手段による削除の開始時における削除直前表示画像を除く前記一連の表示画像に係るデータを削除するデータ削除手段と
を備えていることを特徴とする描画装置。
【請求項２】
描画に係る描画オブジェクトを含む表示画像が表示される表示部を備え、該表示画像の時系列の一連を記憶する描画装置において、
前記描画オブジェクトの削除を行なう削除手段と、
前記表示部の表示画面上の領域の指定を受け付ける領域受付手段と、
該領域受付手段が受け付けた指定に係る指定領域の描画オブジェクトが、前記削除手段によって削除されたか否かを判定する削除判定手段と、
前記指定領域の描画オブジェクトが削除されたと判定された場合、前記削除手段による削除の開始時における削除直前表示画像を除く前記一連の表示画像に係るデータを削除するデータ削除手段と
を備えていることを特徴とする描画装置。
【請求項３】
前記描画を終了する指示を受け付ける終了受付手段を備え、
該終了受付手段が前記指示を受け付けた場合、前記データ削除手段は、前記終了受付手段による前記指示の受付時における終了時表示画像を除く前記一連の表示画像に係るデータを削除するように構成されていることを特徴とする請求項１又は２に記載の描画装置。
【請求項４】
前記削除直前表示画像又は前記終了時表示画像に係る画像データのファイル形式を変更する形式変更手段を備えることを特徴とする請求項１から３の何れか一つに記載の描画装置。
【請求項５】
描画に係る描画オブジェクトを含む表示画像が表示される表示部を備え、該表示画像の時系列の一連を記憶する描画装置にて、前記表示画像を記憶する画像記憶方法において、
前記描画オブジェクトの削除を行なう削除ステップと、
該削除ステップによる削除前の描画オブジェクトに対する、削除後の描画オブジェクトの割合が、閾値以下であるか否かの判定を行なう判定ステップと、
前記割合が閾値以下であると判定された場合、前記削除ステップによる削除の開始時の表示画像を除く前記一連の表示画像に係るデータを削除するステップと
を含むことを特徴とする画像記憶方法。
【請求項６】
描画に係る描画オブジェクトを含む表示画像が表示される表示部を備え、該表示画像の時系列の一連を記憶する描画装置にて、前記表示画像を記憶する画像記憶方法において、
前記描画オブジェクトの削除を行なう削除ステップと、
前記表示部の表示画面上の領域の指定を受け付ける領域受付ステップと、
該領域受付ステップで受け付けた指定に係る指定領域の描画オブジェクトが、前記削除ステップにて削除されたか否かを判定する削除判定ステップと、
前記指定領域の描画オブジェクトが削除されたと判定された場合、前記削除ステップによる削除の開始時の表示画像を除く前記一連の表示画像に係るデータを削除するステップと
を含むことを特徴とする画像記憶方法。
【請求項７】
描画に係る描画オブジェクトを含む表示画像が表示される表示部を備え、該表示画像の時系列の一連を記憶する描画装置を構成するコンピュータに、前記表示画像を記憶させるコンピュータプログラムにおいて、
コンピュータに、前記描画オブジェクトの削除を行なわせる削除ステップと、
コンピュータに、前記削除ステップによる削除前の描画オブジェクトに対する、削除後の描画オブジェクトの割合が、閾値以下であるか否かの判定を行なわせる判定ステップと、
コンピュータに、前記割合が閾値以下であると判定された場合、前記削除ステップによる削除の開始時の表示画像を除く前記一連の表示画像に係るデータを削除させるステップと
を実行させることを特徴とするコンピュータプログラム。
【請求項８】
描画に係る描画オブジェクトを含む表示画像が表示される表示部を備え、該表示画像の時系列の一連を記憶する描画装置を構成するコンピュータに、前記表示画像を記憶させるコンピュータプログラムにおいて、
コンピュータに、前記描画オブジェクトの削除を行なわせる削除ステップと、
コンピュータに、前記表示部の表示画面上の領域の指定を受け付けさせる領域受付ステップと、
コンピュータに、該領域受付ステップで受け付けた指定に係る指定領域の描画オブジェクトが、前記削除ステップにて削除されたか否かを判定させる削除判定ステップと、
コンピュータに、前記指定領域の描画オブジェクトが削除されたと判定された場合、前記削除ステップによる削除の開始時の表示画像を除く前記一連の表示画像に係るデータを削除させるステップと
を実行させることを特徴とするコンピュータプログラム。
【請求項９】
請求項７又は８に記載のコンピュータプログラムを記録してあることを特徴とするコンピュータでの読み取りが可能な記録媒体。
【発明の詳細な説明】
【技術分野】
【０００１】
本発明は、描画に係る描画オブジェクトを含む表示画像が表示される表示部を備え、該表示画像の時系列の一連を記憶する描画装置、該描画装置に係る画像記憶方法、及びコンピュータプログラム、並びに該コンピュータプログラムが記録された記録媒体に関する。
【背景技術】
【０００２】
従来から、表示部に描画された文字、図等の描画オブジェクトを認識して記憶し、必要に応じて、該表示部に再生表示し、又は記録用紙に出力できる、いわゆる電子ホワイトボード装置が普及されている。
【０００３】
また、特許文献１においては、電子ホワイトボード装置と、ファイリング装置とをイントラネットを介して接続し、電子ホワイトボード装置は認識した画像データを、イントラネットを介して前記ファイリング装置に送信し、該ファイリング装置が、その画像データを検索・読み出し可能に蓄積・管理することにより、会議等の情報を保管・管理できる会議支援装置が開示されている。
【先行技術文献】
【特許文献】
【０００４】
【特許文献１】特開２０００−１６５５７７号公報
【発明の概要】
【発明が解決しようとする課題】
【０００５】
しかしながら、上述した特許文献１に係る会議支援装置においては、短い時間間隔にて描画オブジェクトの認識及び当該画像データの前記ファイリング装置への送信が行われた場合、該ファイリング装置で保管・管理される画像データの量が多くなる。一方、斯かる時間間隔を延ばした場合は、前記ファイリング装置で保管・管理される画像データの量は減少するものの、保管して置くべき画像データの漏れが発生する虞がある。
【０００６】
一方、利用者が会議、授業等にて電子ホワイトボード装置を利用する際、殆どの場合においては、話題が変わるなど次の話に移るときは、当該描画面（表示画面）に描画された文字、図等の描画オブジェクトを全部又大部分を削除する操作を行なう。
【０００７】
換言すれば、利用者による削除が行なわれる直前の描画オブジェクトには、誤記の修正も済んでおり、重要情報の漏れもない状態である。本願の発明者はこのようなことに着目して本願に係る発明を行なった。
【０００８】
本発明は、斯かる事情に鑑みてなされたものであり、その目的とするところは、描画に係る描画オブジェクトを含む表示画像が表示される表示部を備え、該表示画像の時系列の一連を記憶しておき、前記描画オブジェクトの削除が行なわれる際、該削除前の描画オブジェクトに対する、削除後の描画オブジェクトの割合が、閾値以下であるか否かの判定が行なわれ、前記割合が閾値以下であると判定された場合、前記削除の開始時における削除直前表示画像を除く前記一連の表示画像に係るデータを削除することにより、重要情報を漏れなく記憶できる上で、必要最小限の表示画像のみを記憶するので、多大なデータの記憶に起因する装置の負担を軽減できる、描画装置、画像記憶方法、コンピュータプログラム及び該コンピュータプログラムが記録された記録媒体を提供することにある。
【課題を解決するための手段】
【０００９】
本発明に係る描画装置は、描画に係る描画オブジェクトを含む表示画像が表示される表示部を備え、該表示画像の時系列の一連を記憶する描画装置において、前記描画オブジェクトの削除を行なう削除手段と、該削除手段による削除前の描画オブジェクトに対する、削除後の描画オブジェクトの割合が、閾値以下であるか否かの判定を行なう判定手段と、前記割合が閾値以下であると判定された場合、前記削除手段による削除の開始時における削除直前表示画像を除く前記一連の表示画像に係るデータを削除するデータ削除手段とを備えていることを特徴とする。
【００１０】
本発明にあっては、前記削除手段による前記描画オブジェクトの削除が開始する前の描画オブジェクトに対する、削除後の描画オブジェクトの割合が、閾値以下であるか否かの判定が前記判定手段によって行なわれ、前記割合が閾値以下であると該判定手段が判定した場合、前記削除手段による前記描画オブジェクトの削除の開始時、換言すれば、該削除が開始される直前における表示画像（前記削除直前表示画像）を除く前記一連の表示画像に係るデータが前記データ削除手段によって削除される。
【００１１】
本発明に係る描画装置は、描画に係る描画オブジェクトを含む表示画像が表示される表示部を備え、該表示画像の時系列の一連を記憶する描画装置において、前記描画オブジェクトの削除を行なう削除手段と、前記表示部の表示画面上の領域の指定を受け付ける領域受付手段と、該領域受付手段が受け付けた指定に係る指定領域の描画オブジェクトが、前記削除手段によって削除されたか否かを判定する削除判定手段と、前記指定領域の描画オブジェクトが削除されたと判定された場合、前記削除手段による削除の開始時における削除直前表示画像を除く前記一連の表示画像に係るデータを削除するデータ削除手段とを備えていることを特徴とする。
【００１２】
本発明にあっては、前記領域受付手段が受け付けた指定に係る指定領域の描画オブジェクトが、前記削除手段によって削除されたか否かの判定が前記削除判定手段によって行なわれ、前記指定領域の描画オブジェクトが削除されたと判定された場合、前記削除手段による前記描画オブジェクトの削除の開始時、換言すれば、該削除が開始される直前における表示画像（前記削除直前表示画像）を除く前記一連の表示画像に係るデータが前記データ削除手段によって削除される。
【００１３】
本発明に係る描画装置は、前記描画を終了する指示を受け付ける終了受付手段を備え、該終了受付手段が前記指示を受け付けた場合、前記データ削除手段は、前記終了受付手段による前記指示の受付時における終了時表示画像を除く前記一連の表示画像に係るデータを削除するように構成されていることを特徴とする。
【００１４】
本発明にあっては、前記終了受付手段が前記描画を終了する指示を受け付けた場合、前記データ削除手段は、前記終了受付手段による斯かる指示の受付時における表示画像（前記終了時表示画像）を除く前記一連の表示画像に係るデータを削除する。
【００１５】
本発明に係る描画装置は、前記削除直前表示画像又は前記終了時表示画像に係る画像データのファイル形式を変更する形式変更手段を備えることを特徴とする。
【００１６】
本発明にあっては、前記形式変更手段は、前記削除直前表示画像又は前記終了時表示画像に係る画像データのファイル形式を、例えば、静止画像に適したＪＥＰＧに変更する。
【００１７】
本発明に係る画像記憶方法は、描画に係る描画オブジェクトを含む表示画像が表示される表示部を備え、該表示画像の時系列の一連を記憶する描画装置にて、前記表示画像を記憶する画像記憶方法において、前記描画オブジェクトの削除を行なう削除ステップと、該削除ステップによる削除前の描画オブジェクトに対する、削除後の描画オブジェクトの割合が、閾値以下であるか否かの判定を行なう判定ステップと、前記割合が閾値以下であると判定された場合、前記削除ステップによる削除の開始時の表示画像を除く前記一連の表示画像に係るデータを削除するステップとを含むことを特徴とする。
【００１８】
本発明に係るコンピュータプログラムは、描画に係る描画オブジェクトを含む表示画像が表示される表示部を備え、該表示画像の時系列の一連を記憶する描画装置を構成するコンピュータに、前記表示画像を記憶させるコンピュータプログラムにおいて、コンピュータに、前記描画オブジェクトの削除を行なわせる削除ステップと、コンピュータに、前記削除ステップによる削除前の描画オブジェクトに対する、削除後の描画オブジェクトの割合が、閾値以下であるか否かの判定を行なわせる判定ステップと、コンピュータに、前記割合が閾値以下であると判定された場合、前記削除ステップによる削除の開始時の表示画像を除く前記一連の表示画像に係るデータを削除させるステップとを実行させることを特徴とする。
【００１９】
本発明にあっては、前記描画オブジェクトの削除が開始される前の描画オブジェクトに対する、削除後の描画オブジェクトの割合が、閾値以下であるか否かの判定が行なわれ、前記割合が閾値以下であると判定された場合、前記描画オブジェクトの削除の開始時、換言すれば、該削除が開始される直前における表示画像（前記削除直前表示画像）を除く前記一連の表示画像に係るデータが削除される。
【００２０】
本発明に係る画像記憶方法は、描画に係る描画オブジェクトを含む表示画像が表示される表示部を備え、該表示画像の時系列の一連を記憶する描画装置にて、前記表示画像を記憶する画像記憶方法において、前記描画オブジェクトの削除を行なう削除ステップと、前記表示部の表示画面上の領域の指定を受け付ける領域受付ステップと、該領域受付ステップで受け付けた指定に係る指定領域の描画オブジェクトが、前記削除ステップにて削除されたか否かを判定する削除判定ステップと、前記指定領域の描画オブジェクトが削除されたと判定された場合、前記削除ステップによる削除の開始時の表示画像を除く前記一連の表示画像に係るデータを削除するステップとを含むことを特徴とする。
【００２１】
本発明に係るコンピュータプログラムは、描画に係る描画オブジェクトを含む表示画像が表示される表示部を備え、該表示画像の時系列の一連を記憶する描画装置を構成するコンピュータに、前記表示画像を記憶させるコンピュータプログラムにおいて、コンピュータに、前記描画オブジェクトの削除を行なわせる削除ステップと、コンピュータに、前記表示部の表示画面上の領域の指定を受け付けさせる領域受付ステップと、コンピュータに、該領域受付ステップで受け付けた指定に係る指定領域の描画オブジェクトが、前記削除ステップにて削除されたか否かを判定させる削除判定ステップと、コンピュータに、前記指定領域の描画オブジェクトが削除されたと判定された場合、前記削除ステップによる削除の開始時の表示画像を除く前記一連の表示画像に係るデータを削除させるステップとを実行させることを特徴とする。
【００２２】
本発明にあっては、受け付けられた指定に係る指定領域の描画オブジェクトが削除されたか否かの判定が行なわれ、前記指定領域の描画オブジェクトが削除されたと判定された場合、前記描画オブジェクトの削除の開始時、換言すれば、該削除が開始される直前における表示画像（前記削除直前表示画像）を除く前記一連の表示画像に係るデータが削除される。
【００２３】
本発明に係る記録媒体は、前述の発明のコンピュータプログラムを記録してあることを特徴とする。
【００２４】
本発明にあっては、前記記録媒体に前述のコンピュータプログラムを記録する。コンピュータが前記記録媒体からコンピュータプログラムを読み出して、前述の描画装置、及び画像記憶方法がコンピュータにより実現される。
【発明の効果】
【００２５】
本発明によれば、重要情報を漏れなく記憶できると共に、必要最小限の表示画像のみを記憶するので、多大なデータの記憶による装置側の負担を極力軽減することができる。
【図面の簡単な説明】
【００２６】
【図１】本発明の実施の形態１の電子ホワイトボード装置の要部構成を示す機能ブロック図である。
【図２】本発明の実施の形態１に係る電子ホワイトボード装置における、表示制御部の要部構成を示す機能ブロック図である。
【図３】本発明の実施の形態１における、削除直前表示画像を除く一連画像に係るデータの削除を説明するフローチャートである。
【図４】本発明の実施の形態１において、表示部の表示画面上の描画を説明する説明図である。
【図５】本発明の実施の形態２における、削除直前表示画像を除く一連画像に係るデータの削除を説明するフローチャートである。
【図６】発明の実施の形態２において、表示部の表示画面上の描画を説明する説明図である。
【図７】本発明の実施の形態３の電子ホワイトボード装置の要部構成を示す機能ブロック図である。
【発明を実施するための形態】
【００２７】
以下に、本発明の実施の形態に係る描画装置、画像記憶方法及びコンピュータプログラムを、いわゆる電子ホワイトボード装置に適用した場合を例として、図面に基づいて詳述する。本発明に係る電子ホワイトボード装置は、描画の実行に際して、表示部へ時系列に表示される表示画面の一連を記憶しておく。
【００２８】
（実施の形態１）
図１は本発明の実施の形態１の電子ホワイトボード装置の要部構成を示す機能ブロック図である。図中、符号１００は、電子ホワイトボードを示す。電子ホワイトボード装置１００はＣＰＵ１と、ＲＯＭ２と、ＲＡＭ３とを備えている。
【００２９】
ＲＯＭ２には各種の制御プログラム（例えば、電子黒板アプリケーション、描画用アプリケーション等）が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００３０】
ＣＰＵ１は、ＲＯＭ２に予め格納されている制御プログラムをＲＡＭ３上にロードして実行することによって、バスＮを介して以下の各ハードウェアの制御を行い、装置全体を本発明の電子ホワイトボード装置１００として動作させる。
【００３１】
また、電子ホワイトボード装置１００は、表示部７と、該表示部７への文字、画像等の表示を制御する表示制御部８と、表示部７の表示画面に表示された画像（以下、表示画像という）の一連を記憶する記憶部４と、後述するペン形入力器５２を介して利用者から表示部７上の位置指定、選択等の入力を受け付けるペン入力部５と、ペン入力部５による入力の受付を制御するペン入力制御部６とを備えている。
【００３２】
ペン入力部５は、いわゆるタッチパネルであり、利用者から表示部７の表示画面上における位置指定を受け付ける位置指定受付部５１と、ペン形状を有しており、利用者による該位置指定の際に用いるペン形入力器５２とを備えている。
【００３３】
ペン入力部５の位置指定受付部５１は、表示部７の表示画面上に重ねて設置される。本実施の形態１において、位置指定受付部５１はいわゆる光遮断型である。該光遮断型においては、入力はペン形入力器５２の先端が位置指定受付部５１表面の直近に近づいたことに応じて、位置指定受付部５１により光遮断が検出されることによって実現される。  
【００３４】
より詳しくは、ペン入力部５は、赤外線を用いた光遮断型である。斯かる光遮断型の電子ホワイトボードは、表示部７の縦方向の１辺と横方向の１辺とに赤外線の光を発光する多数のＬＥＤを配列し、該ＬＥＤの列と対向する辺に受光素子を配列し、対応するＬＥＤ・受光素子対を順次走査して、Ｘ方向（横）とＹ方向（縦）について赤外線の光の遮断物（ペン形入力器５２）の有無を検出し、ペン形入力器５２の位置を入力位置として認識するものである。なお、ペン形入力器５２に限るものでなく、利用者の指によって操作可能に構成しても良い。
【００３５】
このようにして、ペン入力部５は、利用者から表示部７上の位置指定を受け付け、ペン入力部５が受け付けた位置指定に基づき、ＣＰＵ１は前記描画用アプリケーションを実行し、表示制御部８が利用者から所定の選択・描画指示を受け付ける。
【００３６】
ペン入力制御部６は、ペン入力部５による位置指定の受付に関する制御を行ない、また、ペン入力部５の位置指定受付部５１を介して受け付けられる位置指定に係る座標（以下、指定座標と言う）を表示制御部８に送出する。
【００３７】
また、記憶部４は、例えば、フラッシュメモリ、ＥＥＰＲＯＭ（商標登録）、ＨＤＤ、ＭＲＡＭ（磁気抵抗メモリ）、ＦｅＲＡＭ（強誘電体メモリ）、又は、ＯＵＭ等の不揮発性の半導体メモリであり、表示部７における画像表示の履歴を記憶する。
【００３８】
例えば、記憶部４は、前記描画用アプリケーションの実行によって時系列に表示画面が表示部７に表示される場合、斯かる表示画像の一連（以下、一連画像ともいう）を、動画として表示できるように記憶する。また、記憶部４は、該一連画像に含まれる表示画像の一つであって、後述する削除直前表示画像及び受付時表示画面を記憶する。
【００３９】
表示部７は、例えばＬＣＤ又はＥＬ（Electroluminescence）モニタであり、表示部７には、前記描画用アプリケーションによって行なわれる描画に係る画像が表示される。また、表示部７には、電子ホワイトボード装置１００にて動作するソフトウェアを選択して起動させるためのインターフェス画面等が表示されている。
【００４０】
表示制御部８は、ペン入力制御部６から指定座標を取得して、前記描画又は画像表示を行ない、並びに該指定座標に対応する、例えば、前記インターフェース画面の所定のソフトキーの選択を受け付ける。
【００４１】
図２は本発明の実施の形態１に係る電子ホワイトボード装置１００における、表示制御部８の要部構成を示す機能ブロック図である。表示制御部８は、削除部８１と、領域受付部８２と、終了受付部８３と、判定部８４と、データ削除部８５と、形式変更部８６とを備えている。
【００４２】
削除部８１は、ＣＰＵ１（又は利用者）の指示に応じて、表示部７に表示された画像（表示画像）に含まれているオブジェクト、例えば、描画によって描かれた描画オブジェクトの削除を行なう。
【００４３】
領域受付部８２は、表示部７の表示画面上における、所定の領域の指定を利用者から受け付ける。利用者による斯かる領域の指定は、必要に応じて、例えば、ペン入力部５を介して入力される。以下においては、利用者から領域受付部８２が受け付けた指定に係る領域を指定領域という。
【００４４】
終了受付部８３は、例えば、描画用アプリケーションが起動されて、表示部７への描画が実行されている場合において、該描画の実行を終了する旨の指示（以下、描画終了指示という）を受け付ける。利用者からの斯かる指示の受け付けは、例えば、ペン入力部５を介して行われる。
【００４５】
判定部８４は、表示部７に表示中の描画オブジェクトが削除部８１によって削除される場合、削除部８１による削除の開始前の描画オブジェクトに対する、削除後の描画オブジェクトの割合が、閾値以下であるか否かの判定を行なう。斯かる判定は、例えば、前記削除の開始前の描画オブジェクトに係る画像データのデータ量と、当該削除後の描画オブジェクトに係る画像データのデータ量とを比較することにより行なわれる。
【００４６】
また、判定部８４は、領域受付部８２が所定の領域の指定を利用者から受け付けた場合は、領域受付部８２が受け付けた指定に係る指定領域の描画オブジェクトが、削除部８１によって削除されたか否かを判定する。斯かる判定は、例えば、当該削除後の前記指定領域において描画オブジェクトがあるか否か、換言すれば、当該削除後の描画オブジェクトに係る画像データのデータ量が「０」であるか否かに基づいて行なう。更に、データ量「０」を基準にすることに限定するものでなく、消し忘れ、消し残し等にそなえ、データ量に所定の幅を設けるように構成しても良い。
【００４７】
データ削除部８５は、例えば、判定部８４によって、前記割合が閾値以下であると判定された場合、削除部８１による描画オブジェクトの削除の開始時における表示画面、換言すれば、描画オブジェクトの削除が行なわれる直前の表示画面（以下、削除直前表示画像）を除いて、記憶部４にその時点まで記憶されていた一連画像に係るデータを削除する。
【００４８】
すなわち、判定部８４によって、前記割合が閾値以下であると判定された時点（以下、閾値以下判定時点という）においては、描画用アプリケーションが実行され、描画が開始されてから前記閾値以下判定時点までの、時系列の一連の表示画像（一連画像）に係るデータが記憶部４に記憶されている。従って、データ削除部８５は、斯かる一連の表示画像のうち、削除部８１による描画オブジェクトの削除の開始時における前記削除直前表示画像を除いた他の表示画像に係るデータを削除する。
【００４９】
また、データ削除部８５は、例えば、判定部８４によって、前記指定領域の描画オブジェクトが削除されたと判定された場合、前記削除直前表示画像を除いて、記憶部４にその時点まで記憶されていた一連画像に係るデータを削除する。
【００５０】
すなわち、判定部８４によって、前記指定領域の描画オブジェクトが削除されたと判定された時点（以下、削除判定時点という）においては、描画用アプリケーションが実行され、描画が開始されてから前記削除判定時点までの、時系列の一連の表示画像に係るデータが記憶部４に記憶されている。従って、データ削除部８５は、斯かる一連の表示画像のうち、削除部８１による前記指定領域の描画オブジェクトの削除の開始時における前記削除直前表示画像を除いた他の表示画像に係るデータを削除する。
【００５１】
更に、データ削除部８５は、終了受付部８３によって前記描画終了指示が受け付けされた場合、終了受付部８３による前記描画終了指示の受け付けの際における、表示部７の表示画面（以下、終了時表示画像という）を除いて、記憶部４にその時点まで記憶されていた一連画像に係るデータを削除する。
【００５２】
すなわち、終了受付部８３が前記描画終了指示を受け付けた時点（以下、終了指示受付時点という）においては、描画用アプリケーションの実行に応じて、前記終了指示受付時点までの、時系列の一連の表示画像に係るデータが記憶部４に記憶されている。従って、データ削除部８５は、斯かる一連の表示画像のうち、前記終了指示受付時点における前記終了時前表示画像を除いた他の表示画像に係るデータを削除する。
【００５３】
形式変更部８６は、前記削除直前表示画像及び終了時表示画像に係る画像データのファイル形式を変更する。すなわち、前記一連の表示画像の夫々は、動画としての表示が可能であるように、例えば、ＭＰＥＧファイル形式として記憶される。しかし、本発明に係る電子ホワイトボード装置１００においては、上述したように、所定の条件の下、一連画像に係るデータを削除し、該一連画像を構成する表示画像のうちの前記削除直前表示画像又は終了時表示画像のみを記憶する。従って、これらの削除直前表示画像又は終了時表示画像をより静止画像に適切である、例えば、ＪＰＥＧファイル形式にファイルの形式を変更する。
【００５４】
なお、上述した削除部８１と、領域受付部８２と、終了受付部８３と、判定部８４と、データ削除部８５と、形式変更部８６とは、ハードウェアロジックによって構成してもよいし、ＣＰＵ１が所定のプログラムを実行することにより、ソフトウェア的に構築されてもよい。
【００５５】
以上の構成を有する、本発明の実施の形態１に係る電子ホワイトボード装置１００は、例えば、描画用アプリケーションが起動されて、表示部７への描画が実行されている場合、表示部７における画像の表示の履歴として、前記一連の表示画像からなる一連画像を記録しておく。その後、描画オブジェクトの削除が行なわれ、削除前後における描画オブジェクトの割合が所定の閾値以下であると判定部８４によって判定された場合、前記削除直前表示画像を除いて、記憶部４にその時点まで記憶されていた一連画像に係るデータを削除することにより、表示部７における画像の表示の履歴を必要最小限の静止画像にて保存するので、画像の表示の履歴として記憶すべき画像に係るデータの容量を極力減らすことができる。
【００５６】
図３は本発明の実施の形態１における、削除直前表示画像を除く一連画像に係るデータの削除を説明するフローチャートである。説明の便宜上、利用者から描画指示を受け付けて、表示部７に描画が行なわれる場合を例として説明する。
【００５７】
ＣＰＵ１は、前記インターフェス画像を介してユーザから描画を開始する指示を受け付け（ステップＳ１０１）、前記描画用アプリケーションを起動させる。以降、表示部７の表示画面上において描画が行なわれる。図４は本発明の実施の形態１において、表示部７の表示画面７４上の描画を説明する説明図である。
【００５８】
例えば、利用者がペン形入力器５２を用いて、図４に示すインターフェス画像Ｍに設けられている描画ソフトキー７１をタッチした場合、ＣＰＵ１は斯かる操作を描画を開始する指示として受け付け、前記描画用アプリケーションを起動させる。
【００５９】
以降、上述したように、ペン入力部５の位置指定受付部５１を介して利用者から受け付けられる位置指定に基づいて、表示制御部８が表示部７の表示画面７４に、例えば、線画（描画オブジェクト）を表示する。
【００６０】
また、この際、表示部７の表示画面７４上に描画される画像、すなわち、時系列の一連の表示画像（一連画像）が記憶部４に保存される（ステップＳ１０２）。
【００６１】
例えば、表示部７の表示画面７４上の描画が続けられ、図４Ａにて示すように、表示画面７４の左上から右下にわたり、時系列順に線画（描画オブジェクト）が表示された場合、利用者は、更に描画を続けるために、表示画面７４の左上に戻り、図４Ｂに示すように、斯かる箇所の線画を削除する。
【００６２】
斯かる際、ＣＰＵ１は、表示部７の表示画面７４上の描画オブジェクトの削除が行われたか否かを判定する（ステップＳ１０３）。斯かる判定は、利用者がペン形入力器５２を用いて、インターフェス画像Ｍに設けられている削除ソフトキー７２をタッチすることをトリガーとして、当該表示画像の描画オブジェクトに係る画像データの変化を監視することにより行なわれる。
【００６３】
ＣＰＵ１が表示部７に表示中の表示画像の描画オブジェクトの削除が行われなかったかと判定した場合（ステップＳ１０３：ＮＯ）、処理はステップＳ１０４に進む。
【００６４】
一方、ＣＰＵ１が表示部７の表示画面７４上の描画オブジェクトの削除が行われたと判定した場合（ステップＳ１０３：ＹＥＳ）、すなわち、削除部８１が当該表示画像の描画オブジェクトを削除し（図４Ｂ参照）、描画オブジェクトに係る画像データのデータ量が減少した場合、判定部８４は、削除部８１による削除の開始前の描画オブジェクトに対する、削除後の描画オブジェクトの割合が、閾値以下であるか否かの判定を行なう（ステップＳ１０７）。例えば、前記閾値は５０％である。斯かる判定の方法については、既に説明しており、ここでは詳しい説明を省略する。
【００６５】
判定部８４によって前記割合が閾値以下で無いと判定された場合、（ステップＳ１０７：ＮＯ）、処理は、ステップＳ１０４に進む。
【００６６】
一方、本実施の形態の場合、前記割合が５０％であるので、判定部８４によって割合が閾値以下であると判定され（ステップＳ１０７：ＹＥＳ）、当該閾値以下判定時点において記憶部４に記憶されている、描画の開始から前記閾値以下判定時点までの一連画像のうち、削除部８１による描画オブジェクトの削除の開始時における前記削除直前表示画像を除いて、該一連画像に係るデータを削除する（ステップＳ１０８）。
【００６７】
以降、例えば、描画の終了を望む利用者は、ペン形入力器５２を用いて、インターフェス画像Ｍに設けられている描画終了ソフトキー７３をタッチする。これによって、終了受付部８３は当該描画の実行を終了する描画終了指示を受け付ける。
【００６８】
この際、ＣＰＵ１は、描画終了ソフトキー７３の操作如何を監視することにより、又は終了受付部８３を監視することにより、前記描画終了指示を受け付けたか否かを判定する（ステップＳ１０４）。
【００６９】
ＣＰＵ１は、前記描画終了指示を受け付けていないと判定した場合（ステップＳ１０４：ＮＯ）、処理をステップＳ１０２に戻す。
【００７０】
また、ＣＰＵ１が前記描画終了指示を受け付けたと判定した場合（ステップＳ１０４：ＹＥＳ）、データ削除部８５は、終了受付部８３が前記描画終了指示を受け付けた終了指示受付時点において記憶部４に記憶されている、該終了指示受付時点までの一連画像のうち、前記描画終了指示の受け付けの際における前記終了時表示画像を除いて、該一連画像に係るデータを削除する（ステップＳ１０５）。
【００７１】
ここまでの処理によって、記憶部４には、一又は複数の前記削除直前表示画像に係るデータと、前記終了時表示画像に係るデータとが記憶されており、何れの一連画像に係るデータも削除されている。
【００７２】
次いで、形式変更部８６は、前記削除直前表示画像及び終了時表示画像に係る画像データのファイル形式を変更する。例えば、これらのファイル形式がＭＰＥＧファイル形式である場合、形式変更部８６はＭＰＥＧファイル形式からＪＰＥＧファイル形式にファイルの形式を変更する（ステップＳ１０６）。
【００７３】
（実施の形態２）
本発明の実施の形態２に係る電子ホワイトボード装置１００は、例えば、描画用アプリケーションが起動されて、表示部７への描画が実行されている場合、表示部７における画像の表示の履歴として、前記一連の表示画像からなる一連画像を記録しておく。その後、当該表示画像の描画オブジェクトの削除が行なわれ、該表示画像における指定領域の描画オブジェクトが削除されたと判定部８４によって判定された場合、前記削除直前表示画像を除いて、記憶部４にその時点まで記憶されていた一連画像に係るデータを削除することにより、表示部７における画像の表示の履歴を必要最小限の静止画像にて保存するので、画像の表示の履歴として記憶すべき画像に係るデータの容量を極力減らすことができる。
【００７４】
図５は本発明の実施の形態２における、削除直前表示画像を除く一連画像に係るデータの削除を説明するフローチャートである。説明の便宜上、利用者から描画指示を受け付けて、表示部７に描画が行なわれる場合を例として説明する。
【００７５】
ＣＰＵ１は、前記インターフェス画像を介してユーザから描画を開始する指示を受け付け（ステップＳ２０１）、表示部７の表示画面７４上において描画が行なわれる。図６は発明の実施の形態２において、表示部７の表示画面７４上の描画を説明する説明図である。
【００７６】
例えば、利用者がペン形入力器５２を用いて、図６に示すインターフェス画像Ｍに設けられている描画ソフトキー７１をタッチした場合、ＣＰＵ１は斯かる操作を描画を開始する指示として受け付け、前記描画用アプリケーションを起動させる。
【００７７】
次いで、利用者は、ペン形入力器５２を用いて、表示画面７４上の所定領域の指定を行なう。これによって、領域受付部８２は、ペン入力部５を介して表示画面７４上の所定領域の指定を受け付ける（ステップＳ２０２）。
【００７８】
以下、本実施の形態２においては、図６に示したように、表示部７の左上に前記所定領域の指定が行なわれる場合を例として説明する。図６中には、利用者から受け付けた指定に係る指定領域７５が破線にて表示されている。また、指定領域７５は、利用者が視認できるように、可視的に表示画面７４に表示されるように構成しても良く、利用者によって視認できないように構成しても良い。
【００７９】
以降、上述したように、ペン入力部５の位置指定受付部５１を介して利用者から受け付けられる位置指定に基づいて、表示制御部８が表示部７の表示画面７４に、例えば、線画（描画オブジェクト）を表示する。
【００８０】
また、この際、表示部７の表示画面７４上に描画される画像、すなわち、時系列の一連の表示画像（一連画像）が記憶部４に保存される（ステップＳ２０３）。
【００８１】
例えば、表示部７の表示画面７４上の描画が続けられ、図６Ａにて示すように、表示画面７４の左上から右下にわたり、時系列順に線画（描画オブジェクト）が表示された場合、利用者は、更に描画を続けるために、表示画面７４の左上に戻り、図６Ｂに示すように、斯かる箇所の線画を削除する。
【００８２】
斯かる際、ＣＰＵ１は、表示画面７４の指定領域７５の描画オブジェクトの削除が行われたか否かを判定する（ステップＳ２０４）。斯かる判定については、既に説明しており、詳しい説明を省略する。
【００８３】
ＣＰＵ１が表示画面７４の指定領域７５の描画オブジェクトの削除が行われなかったかと判定した場合（ステップＳ２０４：ＮＯ）、処理はステップＳ２０５に進む。
【００８４】
一方、ＣＰＵ１が表示画面７４の指定領域７５の描画オブジェクトの削除が行われたと判定した場合（ステップＳ２０４：ＹＥＳ）、すなわち、削除部８１が指定領域７５の描画オブジェクトを削除し（図６Ｂ参照）、当該描画オブジェクトに係る画像データのデータ量が減少した場合、判定部８４は、当該削除後の指定領域７５の描画オブジェクトに係るデータ量が例えば「０」であるか否かの判定を行なう（ステップＳ２０８）。斯かる判定の方法については、既に説明しており、ここでは詳しい説明を省略する。
【００８５】
判定部８４によって当該削除後の指定領域７５の描画オブジェクトに係るデータ量が「０」でないと判定された場合、（ステップＳ２０８：ＮＯ）、処理は、ステップＳ２０５に進む。
【００８６】
また、判定部８４によって当該削除後の指定領域７５の描画オブジェクトに係るデータ量が「０」であると判定された場合（ステップＳ２０８：ＹＥＳ）、データ削除部８５は、当該削除判定時点において記憶部４に記憶されている、描画の開始から前記削除判定時点までの一連画像のうち、削除部８１による指定領域７５の描画オブジェクトの削除の開始時における前記削除直前表示画像を除いて、該一連画像に係るデータを削除する（ステップＳ２０９）。
【００８７】
以降、例えば、描画の終了を望む利用者は、ペン形入力器５２を用いて、インターフェス画像Ｍに設けられている描画終了ソフトキー７３をタッチし、これによって、終了受付部８３は当該描画の実行を終了する描画終了指示を受け付ける。
【００８８】
この際、ＣＰＵ１は、描画終了ソフトキー７３の操作如何を監視することにより、又は終了受付部８３を監視することにより、前記描画終了指示を受け付けたか否かを判定する（ステップＳ２０５）。
【００８９】
本実施の形態２におけるステップＳ２０５からステップＳ２０７までの処理は、実施の形態１におけるステップＳ１０４からステップＳ１０６までの処理と同一であり、詳しい説明を省略する。
【００９０】
実施の形態１と同様の部分については、同一の符号を付して詳細な説明を省略する。
【００９１】
以上の記載においては、前記描画オブジェクトの削除が行なわれ、削除前後における描画オブジェクトの割合が所定の閾値以下であると判定された場合、又は、前記描画オブジェクトの削除が行なわれ、前記指定領域の描画オブジェクトが削除されたと判定された場合、前記削除直前表示画像を除く一連画像に係るデータを削除することについて記載したが、本発明は斯かる記載に限定されるものでない。
【００９２】
例えば、前記指定領域が表示部７の表示画面７４を４分割、６分割したものであるように構成してもよく、該指定領域が複数箇所であるように構成しても良い。
【００９３】
（実施の形態３）
図７は本発明の実施の形態３の電子ホワイトボード装置１００の要部構成を示す機能ブロック図である。実施の形態３に係る電子ホワイトボード装置１００は、動作を行うためのコンピュータプログラムが、Ｉ／Ｆ９を介してＣＤ−ＲＯＭ等の可搬型記録媒体Ａで提供することも可能であるように構成されている。さらに、実施の形態３に係る電子ホワイトボード装置１００は、前記コンピュータプログラムを、外部装置から図示しない通信部を介してダウンロードすることも可能であるように構成されている。以下に、その内容を説明する。
【００９４】
実施の形態３に係る電子ホワイトボード装置１００は外装（又は内装）の記録媒体読み取り装置（図示せず）を備えており、該記録媒体読み取り装置に、描画オブジェクトの削除を行なわせ、削除前の描画オブジェクトに対する、削除後の描画オブジェクトの割合が、閾値以下であるか否かの判定を行なわせ、前記割合が閾値以下であると判定された場合、削除の開始時の表示画像を除く前記一連の表示画像に係るデータを削除させるプログラム、また、前記描画オブジェクトの削除を行なわせ、表示部の表示画面上の領域の指定を受け付けさせ、受け付けた指定に係る指定領域の描画オブジェクトが削除されたか否かを判定させ、指定領域の描画オブジェクトが削除されたと判定された場合、削除の開始時の表示画像を除く前記一連の表示画像に係るデータを削除させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、本発明の実施の形態３に係る電子ホワイトボード装置１００として機能する。
【００９５】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ（商標登録）、フラッシュＲＯＭ等による半導体メモリを含めた固定的にプログラムコードを担持する媒体であっても良い。
【００９６】
前記通信部を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００９７】
実施の形態１と同様の部分については、同一の符号を付して詳細な説明を省略する。
【符号の説明】
【００９８】
１  ＣＰＵ
４  記憶部
８  表示制御部
７４  表示画面
７５  指定領域
８１  削除部
８２  領域受付部
８３  終了受付部
８４  判定部（判定手段、削除判定手段）
８５  データ削除部
８６  形式変更部
１００  電子ホワイトボード装置
Ａ  可搬型記録媒体
【図１】
2014106624.tif 000003
【図２】
2014106624.tif 000004
【図３】
2014106624.tif 000005
【図４】
2014106624.tif 000006
【図５】
2014106624.tif 000007
【図６】
2014106624.tif 000008
【図７】
2014106624.tif 000009